(57)【要約】【課題】  ケース本体さらにはキャップ体を容易に乾燥でき、これらに雑菌が付着しにくいようにしたコンタクトレンズケースホルダーを提供する。【解決手段】  ケース本体１１の一対の有底筒状部１４が接続基板部１３を中心としてその下方に延びる底部１５、上方に延びる筒部１６及び該接続基板部の高さに位置する外方フランジ部１８を有しており、コンタクトレンズケースホルダー３０は、支持基板部３１と、この支持基板部から上方に突出する支持突片３３とを備え、支持突片はケース本体の上下を逆にしたとき外方フランジ部に当接し、筒部の先端を上記支持基板部から非接触とする高さを有することを特徴とするコンタクトレンズケースホルダー。【選択図】  図４
0003112552.tif 000002
【実用新案登録請求の範囲】
【請求項１】
洗浄液と左右のコンタクトレンズを個別に入れる独立した一対の有底筒状部、及びこれら有底筒状部どうしを連結する接続基板部を有するケース本体と、上記一対の有底筒状部の開放端に着脱可能な一対の偏平な逆有底筒状をなすキャップ体と、を備えるコンタクトレンズケースの上記ケース本体を保持するためのコンタクトレンズケースホルダーであって、
上記ケース本体の一対の有底筒状部は、上記接続基板部を中心としてその下方に延びる底部、上方に延びる筒部及び該接続基板部の高さに位置する外方フランジ部を有しており、
上記コンタクトレンズケースホルダーは、支持基板部と、この支持基板部から上方に突出する、上記ケース本体の一対の外方フランジ部に対応する支持突片とを備え、この支持突片は、上記ケース本体の上下を逆にしたとき一対の上記外方フランジ部に当接し、上記筒部の先端を上記支持基板部から非接触とする高さを有することを特徴とするコンタクトレンズケースホルダー。
【請求項２】
請求項１記載のコンタクトレンズケースホルダーにおいて、
上記支持突片と上記外方フランジ部との接触態様が線接触であるコンタクトレンズケースホルダー。
【請求項３】
請求項１または２記載のコンタクトレンズケースホルダーにおいて、
上記筒部の断面形状が円形であり、
上記支持突片が、上記筒部の外周側に位置する円弧状支持突片であるコンタクトレンズケースホルダー。
【請求項４】
請求項１から３のいずれか１項記載のコンタクトレンズケースホルダーにおいて、
上記支持突片を複数備えているコンタクトレンズケースホルダー。
【請求項５】
請求項３記載のコンタクトレンズケースホルダーにおいて、
複数の円弧状支持突片からなる支持突片群を一対備え、一対の支持突片群の上端が、一対の支持突片群の間に左右の有底筒状部が位置する態様で上記外方フランジ部を支持するコンタクトレンズケースホルダー。
【請求項６】
請求項１から５のいずれか１項記載のコンタクトレンズケースホルダーにおいて、
上記支持基板部に、上記支持突片が上記外方フランジ部を支持したときに上記筒部の直下に位置する水滴落下用開口を穿設したコンタクトレンズケースホルダー。
【請求項７】
コンタクトレンズケースのケース本体に設けられた、洗浄液と左右のコンタクトレンズを個別に入れる独立した一対の有底筒状部に着脱される、一対の偏平な逆有底筒状をなすキャップ体を保持するためのコンタクトレンズケースホルダーであって、
支持基板部と、
該支持基板部に形成した、上下を逆にした状態の上記キャップ体の開放端の端面に点接触して該キャップ体を保持する少なくとも３つの支持用突部と、を有することを特徴とするコンタクトレンズケースホルダー。
【請求項８】
請求項１から６のいずれか１項記載のコンタクトレンズケースホルダーにおいて、
上記支持基板部に、上下を逆にした状態の上記キャップ体の開放端の端面に点接触して該キャップ体を保持する少なくとも３つの支持用突部を形成したコンタクトレンズケースホルダー。
【請求項９】
請求項７または８記載のコンタクトレンズケースホルダーにおいて、
上記支持基板部に下方に向かうにつれて径が縮小する凹部を形成し、
該凹部の上面に上記支持用突部を形成したコンタクトレンズケースホルダー。
【請求項１０】
請求項９記載のコンタクトレンズケースホルダーにおいて、
上記キャップ体の開放端を上記支持用突部で支持したときに、上記キャップ体の直下に位置する水滴落下用開口を、上記凹部の底部に穿設したコンタクトレンズケースホルダー。
【考案の詳細な説明】
【技術分野】
【０００１】
本考案は、コンタクトレンズケースのホルダーに関する。
【背景技術】
【０００２】
コンタクトレンズ（以下単にレンズ）は、装着中に付着した雑菌を消毒し汚れを除去するために使用後洗浄剤で洗浄する必要がある。このため、就寝前に外し、レンズケース内に洗浄剤と一緒に入れて一晩放置し、翌朝再び装着するのが一般的である。レンズケースは通常、ケース本体と、左右の目（レンズ）用に分かれたケース本体に着脱可能な一対のキャップ体と、を具備している。
【考案の開示】
【考案が解決しようとする課題】
【０００３】
使用したホルダーは、洗浄剤を捨てた後、清水（一般的に水道水）で洗浄し、乾燥させるが、この際できるだけ雑菌の付着を防止しないと、再び使用する際、洗浄剤と一緒に入れるレンズが汚染されてしまう可能性がある。ところが、レンズケースは本体とキャップ体に分かれていて、それぞれを別々に乾燥させなければならないため、従来好ましいレンズケースホルダー、つまり、雑菌の付着のおそれなく、容易に乾燥させることができるホルダーがなかった。
【０００４】
本考案の目的は、以上の問題意識に基づき、ケース本体さらにはキャップ体を容易に乾燥でき、これらに雑菌が付着しにくいようにしたレンズケースホルダーを提供することにある。
【課題を解決するための手段】
【０００５】
本考案のレンズケースホルダーは、洗浄液と左右のコンタクトレンズを個別に入れる独立した一対の有底筒状部、及びこれら有底筒状部どうしを連結する接続基板部を有するケース本体と、上記一対の有底筒状部の開放端に着脱可能な一対の偏平な逆有底筒状をなすキャップ体と、を備えるコンタクトレンズケースの上記ケース本体を保持するためのコンタクトレンズケースホルダーであって、上記ケース本体の一対の有底筒状部は、上記接続基板部を中心としてその下方に延びる底部、上方に延びる筒部及び該接続基板部の高さに位置する外方フランジ部を有しており、上記コンタクトレンズケースホルダーは、支持基板部と、この支持基板部から上方に突出する、上記ケース本体の一対の外方フランジ部に対応する支持突片とを備え、この支持突片は、上記ケース本体の上下を逆にしたとき一対の上記外方フランジ部に当接し、上記筒部の先端を上記支持基板部から非接触とする高さを有することを特徴としている。
【０００６】
上記支持突片と上記外方フランジ部との接触態様が線接触であるのが好ましい。
【０００７】
上記筒部の断面形状が円形の場合は、上記支持突片が、上記筒部の外周側に位置する円弧状支持突片であるのが好ましい。
【０００８】
上記支持突片を複数備えているのが実際的である。
【０００９】
さらに、複数の円弧状支持突片からなる支持突片群を一対備え、一対の支持突片群の上端が、一対の支持突片群の間に左右の有底筒状部が位置する態様で上記外方フランジ部を支持するのが好ましい。
【００１０】
上記支持基板部に、上記支持突片が上記外方フランジ部を支持したときに上記筒部の直下に位置する水滴落下用開口を穿設するのが実際的である。
【００１１】
上記支持基板部に、上下を逆にした状態の上記キャップ体の開放端の端面に点接触して該キャップ体を保持する少なくとも３つの支持用突部を形成するのが好ましい。
【００１２】
上記支持基板部に下方に向かうにつれて径が縮小する凹部を形成し、該凹部の上面に上記支持用突部を形成するのが好ましい。
【００１３】
上記キャップ体の開放端を上記支持用突部で支持したときに、上記キャップ体の直下に位置する水滴落下用開口を、上記凹部の底部に穿設するのが好ましい。
【考案の効果】
【００１４】
本考案のコンタクトレンズケースホルダーによれば、ホルダーの支持基板部に突設された支持突片で、有底筒状部の筒部の開放端を下方に向けた状態のケース本体の外方フランジ部を線接触態様で支持し、ホルダーの支持基板部と筒部の開放端を離間させるので、ケース本体を容易に乾燥でき、さらにケース本体に雑菌が付着しにくいようにすることが可能となる。
【考案を実施するための最良の形態】
【００１５】
図６は、本考案が対象とするコンタクトレンズケース１０の一例を示している。このコンタクトレンズケース１０は、合成樹脂材料の成形品からなるもので、一つのケース本体１１と、二つのキャップ体１２とからなっている。
ケース本体１１は、水平板状の接続基板部１３と、接続基板部１３の左右両端に接続された同じ高さに位置する一対の有底筒状部１４と、を具備する、合成樹脂製の一体成形品である。さらに有底筒状部１４は、接続基板部１３より下方に位置する底部１５と、接続基板部１３より上方に位置し底部１５と同軸をなす断面円形の筒部１６と、接続基板部１３、底部１５、及び筒部１６に連続し接続基板部１３と同じ高さに位置する平面視円弧状の外方フランジ部１８と、を備えている。底部１５及び筒部１６の内部にはレンズを収納するための収納空間Ａが形成されており、左右の筒部１６の外周面には雄ねじ１７が形成されている。
【００１６】
一対の同一形状のキャップ体１２は、偏平な逆有底筒状をなしていて、その開放端に軸線と直交する端面１９を有しており、その内周面には雄ねじ１７と螺合する雌ねじ２０が形成されている。コンタクトレンズケース１０に収納するレンズは、左右で度数等の仕様が異なることがあるため、キャップ体１２の上面（底部外面）に左右表示２１が付されている。
【００１７】
以上のコンタクトレンズケース１０は、一対の有底筒状部１４の収納空間Ａに洗浄液と左右のレンズを入れた後、雄ねじ１７に雌ねじ２０を螺合させて筒部１６とキャップ体１２により密閉空間を作ることで、その姿勢を問わず洗浄液の漏洩を防ぎ、常時レンズを洗浄液に浸すことができる。ケース本体１１の筒部１６とキャップ体１２との結合態様はねじ以外の結合態様、例えば単なる嵌め合いでもよい。
【００１８】
本考案は、以上のコンタクトレンズケース１０のケース本体１１とキャップ体１２を洗浄後に分離して乾燥させる際に用いるホルダーを提供するものである。すなわち、コンタクトレンズケース１０を一度使用してレンズを洗浄液で洗浄した後には、ケース本体１１とキャップ体１２を別々に清水（一般的に水道水）で洗浄し、雑菌に触れることがないように分離させて乾燥させることが好ましい。本考案は、ケース本体１１の外方フランジ部１８に接触してケース本体１１を保持し、かつ、キャップ体１２の端面１９に接触してキャップ体１２を保持するホルダーを提供することで、以上の要求に応えるものである。
【００１９】
図１から図５にコンタクトレンズケースホルダー３０を示している。
このコンタクトレンズケースホルダー３０は、合成樹脂材料の一体成形品であり、平面視略円弧状をなす支持基板部３１を有している。支持基板部３１の上面にはケース本体の外方フランジ部１８に接触可能な支持突片群３２が左右一対として上向き（支持基板部３１に対して直交する）に突設されている。支持突片群３２は平面視円弧状をなす２つの円弧状支持突片（支持突片）３３からなっている。支持突片群３２全体としても平面視円弧状をなしており、隣り合う円弧状支持突片３３の間には隙間が形成されている。各円弧状支持突片３３は互いに同一形状であり、各円弧状支持突片３３の上下寸法は筒部１６の上下寸法より長い（図４及び図５参照）。さらに支持基板部３１には、左右の支持突片群３２の間に位置する態様で平面視円形の水滴落下用開口３４が左右一対として穿設されている。
【００２０】
支持基板部３１の左右両端部には同一形状の円形開口３５が穿設されており、支持基板部３１の下面の円形開口３５と対応する位置には、円形開口３５と同一径かつ同心をなす円筒部３６が下向きに一体的に突設されている。さらに左右の円筒部３６の下端全周からは下方に向かうに連れて径が縮小するすり鉢状支持部（凹部）３７が一体的に延出している。すり鉢状支持部３７の上面（表面）はすり鉢状面３８となっており、その底部中央には平面視円形の水滴落下用開口３９が穿設されている。さらに、左右のすり鉢状面３８と円筒部３６の内周面に跨る態様で、平面視で互いに直交する４つの直線状リブ（支持用突部）４０が上向きに突設されている。この直線状リブ４０は垂直な突片であり、キャップ体１２を支持するとともに、円筒部３６及びすり鉢状支持部３７を強度的に補強するものである。
【００２１】
支持基板部３１の下面からは棒状の結合用突部４２が下向きに垂下している。この結合用突部４２の断面形状は方形である。コンタクトレンズケースホルダー３０とは別体の吸盤４５には結合部４６が突設されており、結合部４６には結合部４６を上下方向に貫通する断面形状が結合用突部４２と同一の嵌合孔４７が設けられている。吸盤４５の嵌合孔４７に結合用突部４２を嵌合すると、コンタクトレンズケースホルダー３０と吸盤４５が回り止めされた状態で結合する。図４に示すように、結合した状態で吸盤４５の吸着面４８を垂直板５０に吸着させれば、コンタクトレンズケースホルダー３０が垂直板５０に着脱可能として取り付けられ、支持基板部３１が略水平となる。支持基板部３１の下面には結合用突部４２の両側に位置する側面視略Ｌ字形の当接用突片４９が左右一対として突設されており、この当接用突片４９の先端が吸盤４５の裏面に当接することにより（図２から図４参照）、コンタクトレンズケースホルダー３０は吸盤４５側に傾斜せず姿勢が安定する。
【００２２】
図４及び図５に示すように、左右のキャップ体１２を取り外しかつ左右の筒部１６の開口端を下向きにしたケース本体１１を、左右の円弧状支持突片３３の間に位置させると、左右の外方フランジ部１８が左右の支持突片群３２の上端縁で支持される。上述のように支持突片群３２の上下寸法は筒部１６の上下寸法より長いので、筒部１６の開口端と支持基板部３１の上面の間には隙間が出来る。即ち、ケース本体１１は筒部１６の開口端が支持基板部３１の上面に接触しない態様で支持突片群３２によって略水平状態で支持（保持）される（図４及び図５参照）。このときの支持突片群３２（円弧状支持突片３３）とケース本体（外方フランジ部１８）の接触態様は線接触である。
【００２３】
このような態様でケース本体１１を支持すると、有底筒状部１４（ケース本体１１）に付着した清水が筒部１６の開口端側から下方に流れ落ちる。流れ落ちた清水は支持基板部３１の上面に付着するか、筒部１６の直下に位置する水滴落下用開口３４から支持基板部３１の下方に滴下する。従って、有底筒状部１４は速やかに乾燥する。さらに筒部１６の開口端と支持基板部３１の上面の間に隙間が出来るので、筒部１６の開口端付近に雑菌が付着することはない。
接続基板部１３の外方フランジ部１８は支持突片群３２（円弧状支持突片３３）と接触するので、この部分に付着した清水は筒部１６の開口端付近に比べて乾燥しにくいが、外方フランジ部１８と支持突片群３２（円弧状支持突片３３）の接触態様は線接触なので、接触態様（支持態様）が面接触の場合に比べると乾燥し易い環境となる。さらに、キャップ体１２を筒部１６に装着したときに、キャップ体１２の端面１９と外方フランジ部１８（及び接続基板部１３）は接触しないので、仮に外方フランジ部１８に雑菌が付着していても、キャップ体１２が不衛生になることはなく、衛生面に与える影響は極めて小さい。
【００２４】
一方、ケース本体１１から取り外した左右のキャップ体１２を、その端面１９を下方に向けた状態で左右の円筒部３６及びすり鉢状支持部３７に突設された４本の直線状リブ４０に載置すると、図４及び図５に示すように各直線状リブ４０によって左右のキャップ体１２が略水平状態で支持される。このときのキャップ体１２の端面１９と各支持突片群３２の接触態様（支持態様）は点接触である。このような態様でキャップ体１２を支持すると、キャップ体１２に付着した清水が端面１９側からすり鉢状面３８に流れ落ちる。流れ落ちた清水はすり鉢状面３８に沿って下方に流れ、キャップ体１２の直下に位置する水滴落下用開口３９から下方に流れ落ちる。
このようにキャップ体１２を直線状リブ４０で支持すると、キャップ体１２は速やかに乾燥する。なお、端面１９の直線状リブ４０と点接触している部分はキャップ体１２の他の部分に比べて乾燥しにくいが、点接触する面積は極めて小さいので、キャップ体１２の衛生面に与える影響は極めて小さい。
【００２５】
以上の説明では円弧状支持突片３３を４つとしたが、円弧状支持突片３３の数は４つに限られず、４つ以外の複数としてもよい。さらに支持突片３３を、その断面形状が環状もしくは一部が途切れる略環状をなす１つの支持突片とし、その上端で接続基板部１３及び外方フランジ部１８を線接触態様で支持してもよい。
【００２６】
さらに直線状リブ４０は４つ組み合わせて実施しているが、キャップ体１２を安定した状態で支持するためには３つ以上あればよいので、直線状リブ４０の数は３つ以上であれば４つ以外であってもよい。また、直線状リブ４０とは異なる形状の支持用突部によってキャップ体１２を支持してもよい。
さらに、以上の説明ではコンタクトレンズケースホルダー３０を吸盤４５を利用して垂直板５０に固定したが、吸盤４５を使わずにコンタクトレンズケースホルダー３０を垂直板５０に接着等により直接固定したり、コンタクトレンズケースホルダー３０を水平板の上面に支持基板部３１が略水平となるように固定してもよい。
【図面の簡単な説明】
【００２７】
【図１】本考案によるコンタクトレンズケースホルダー及びコンタクトレンズケースの分解斜視図である。
【図２】コンタクトレンズケースホルダー及びコンタクトレンズケースを分解して示す平面図である。
【図３】コンタクトレンズケースホルダーの正面図である。
【図４】コンタクトレンズケースホルダーを垂直板に固定した状態を示す側面図である。
【図５】コンタクトレンズケースホルダーでコンタクトレンズケースを保持したときの図２のＶ-Ｖ線に沿う断面図である。
【図６】コンタクトレンズケースの一例の斜視図である。
【符号の説明】
【００２８】
１０    コンタクトレンズケース
１１    ケース本体
１２    キャップ体
１３    接続基板部
１４    有底筒状部
１５    底部
１６    筒部
１７    雄ねじ
１８    外方フランジ部
１９    端面
２０    雌ねじ
２１    左右表示
３０    コンタクトレンズケースホルダー
３１    支持基板部
３２    支持突片群
３３    円弧状支持突片（支持突片）
３４    水滴落下用開口
３５    円形開口
３６    円筒部
３７    すり鉢状支持部（凹部）
３８    すり鉢状面
３９    水滴落下用開口
４０    直線状リブ（支持用突部）
４２    結合用突部
４５    吸盤
４６    結合部
４７    嵌合孔
【図１】
0003112552.tif 000003
【図２】
0003112552.tif 000004
【図３】
0003112552.tif 000005
【図４】
0003112552.tif 000006
【図５】
0003112552.tif 000007
【図６】
0003112552.tif 000008